(57)【要約】【課題】光伝送システムにおいて、強度変調方式及び位相変調方式に対応することができる受信機を提供する。【解決手段】受信光信号１０１を受光して２経路に分け、一方に遅延を与えた後に互いに干渉させ、Ｃ成分及びＤ成分の２つの信号を出力する遅延干渉計１０２と、Ｃ及びＤ成分の２つの信号を受光して光−電気変換し、その差分信号を出力するバランスド受信器１０３と、バランスド受信器１０３の電流を検出して検出電流Ｉ１・Ｉ２を出力する電流検出部（１）１０４及び電流検出部（２）１０５と、電流検出部（１）１０４及び電流検出部（２）１０５から出力される検出電流Ｉ１・Ｉ２の電流値に基づいて、光受信器１００に入力された信号に適する変調方式を判別する変調方式判別部１０６と、変調方式判別部１０６で判別された変調方式に対応した遅延量を遅延干渉計に設定する制御部１０７とを備える。【選択図】図１
2008271510.tif 000002
【特許請求の範囲】
【請求項１】
光伝送システムに用いられる光信号を受信して電気信号に変換する光受信器において、
前記光信号を分岐させて、一方に遅延を与えた後に互いに干渉させることで干渉強度の異なる２つの光信号を出力する遅延干渉計と、
強度変調方式又は位相変調方式の前記光信号に応じた値の遅延量を、前記遅延干渉計に設定する制御部を備えることを特徴とする光受信器。
【請求項２】
干渉強度の異なる２つの光信号の電気変換後の差分に基づいて、受信した前記光信号の変調方式を判定する判定部を備え、
前記制御部は、前記判定部によって判定された前記変調方式に応じた前記遅延量を前記遅延干渉計に設定することを特徴とする請求項１に記載の光受信器。
【請求項３】
前記遅延干渉計から出力された干渉強度の異なる２つの光信号を電気信号に変換して差分信号を出力するバランスド受信器と、
前記差分信号の電流値を検出する電流検出部とを備え、
前記判定部は、前記電流検出部によって検出された電流値に基づいて、受信した前記光信号の変調方式を判定することを特徴とする請求項２に記載の光受信器。
【請求項４】
前記判定部は、前記電流検出部によって検出された前記差分信号の各電流値の比と所定の閾値の大小を比較し、受信した前記光信号に適する変調方式を判別することを特徴とする請求項３に記載の光受信器。
【請求項５】
前記判定部は、起動時に、位相変調方式用の遅延量を前記遅延干渉計に対して設定することを特徴とする請求項２から請求項４のいずれか１項に記載の光受信器。
【請求項６】
前記遅延干渉計から出力された干渉強度の異なる２つの光信号が、建設的干渉によるＣ成分及び総裁的干渉によるＤ成分であることを特徴とする請求項２から請求項５のいずれか１項に記載の光受信器。
【請求項７】
光伝送システムに用いられる光信号を受信して電気信号に変換する光受信器の受信制御方法であって、
遅延干渉計において、前記光信号を分岐させて、一方に遅延を与えた後に互いに干渉させることで干渉強度の異なる２つの光信号を出力する出力ステップと、
強度変調方式又は位相変調方式の前記光信号に応じた値の遅延量を、前記遅延干渉計に設定する制御ステップとを有することを特徴とする光受信器の受信制御方法。
【請求項８】
干渉強度の異なる２つの光信号の電気変換後の差分に基づいて、受信した前記光信号の変調方式を判定する判定ステップを有し、
前記制御ステップにおいて、前記判定ステップで判定された前記変調方式に応じた前記遅延量を前記遅延干渉計に設定することを特徴とする請求項７に記載の光受信器の受信制御方法。
【請求項９】
バランスド受信器において、前記遅延干渉計から出力された干渉強度の異なる２つの光信号を電気信号に変換して差分信号を出力するステップと、
前記差分信号の電流値を検出する検出ステップとを備え、
前記判定ステップにおいて、前記検出ステップで検出された電流値に基づいて、受信した前記光信号の変調方式を判定することを特徴とする請求項８に記載の光受信器の受信制御方法。
【請求項１０】
前記判定ステップにおいて、前記検出ステップで検出された前記差分信号の各電流値の比と所定の閾値の大小を比較し、受信した前記光信号に適する変調方式を判別することを特徴とする請求項９に記載の光受信器の受信制御方法。
【請求項１１】
前記判定ステップにおいて、起動時に、位相変調方式用の遅延量を前記遅延干渉計に対して設定することを特徴とする請求項８から請求項１０のいずれか１項に記載の光受信器の受信制御方法。
【請求項１２】
前記遅延干渉計から出力された干渉強度の異なる２つの光信号が、建設的干渉によるＣ成分及び総裁的干渉によるＤ成分であることを特徴とする請求項８から請求項１１のいずれか１項に記載の光受信器の受信制御方法。
【請求項１３】
光伝送システムに用いられる光信号を受信して電気信号に変換する光受信器上で実行される受信制御プログラムであって、
遅延干渉計に、
前記光信号を分岐させて、一方に遅延を与えた後に互いに干渉させることで干渉強度の異なる２つの光信号を出力する出力処理を実行させ、
制御部に
強度変調方式又は位相変調方式の前記光信号に応じた値の遅延量を、前記遅延干渉計に設定する制御処理を実行させることを特徴とする光受信器の受信制御プログラム。
【請求項１４】
判定部に
干渉強度の異なる２つの光信号の電気変換後の差分に基づいて、受信した前記光信号の変調方式を判定する判定処理を実行させ、
前記制御処理において、前記判定処理で判定された前記変調方式に応じた前記遅延量を前記遅延干渉計に設定することを特徴とする請求項１３に記載の光受信器の受信制御プログラム。
【請求項１５】
バランスド受信器に
前記遅延干渉計から出力された干渉強度の異なる２つの光信号を電気信号に変換して差分信号を出力する処理を実行させ、
電流検出部に、
前記差分信号の電流値を検出する検出処理を実行させ、
前記判定処理において、前記検出処理で検出された電流値に基づいて、受信した前記光信号の変調方式を判定することを特徴とする請求項１４に記載の光受信器の受信制御プログラム。
【請求項１６】
前記判定処理において、前記検出処理で検出された前記差分信号の各電流値の比と所定の閾値の大小を比較し、受信した前記光信号に適する変調方式を判別することを特徴とする請求項１５に記載の光受信器の受信制御プログラム。
【請求項１７】
前記判定処理において、起動時に、位相変調方式用の遅延量を前記遅延干渉計に対して設定することを特徴とする請求項１４から請求項１５のいずれか１項に記載の光受信器の受信制御プログラム。
【請求項１８】
前記遅延干渉計から出力された干渉強度の異なる２つの光信号が、建設的干渉によるＣ成分及び総裁的干渉によるＤ成分であることを特徴とする請求項１４から請求項１７のいずれか１項に記載の光受信器の受信制御プログラム。
【発明の詳細な説明】
【技術分野】
【０００１】
本発明は、光伝送システムに用いられる光信号を受信して電気信号に変換する光受信器、その受信制御方法及びその受信制御プログラムに関するものである。
【背景技術】
【０００２】
例えば、関連技術である特許文献１（特開平９−１４７２８３公報）にも開示されているように、伝送速度が４０Ｇｂｉｔ／ｓ以上の長距離伝送システムでは、強度変調や位相変調等のさまざまな変調方式が用いられている。それぞれの変調方式に一長一短があり、システムの用途によって、最適な変調方式が用いられている。図４に関連技術の位相変調方式の受信器の構成を示す。図４において、遅延干渉計２０２は、差動位相シフトキーイングにより変調された光信号２０１を受信し、その光信号２０１を２分岐し、一方に遅延を与え、その後、分岐した信号を互いに干渉させ、Ｃ（ｃｏｎｓｔｒｕｃｔｉｖｅ  ｉｎｔｅｒｆｅｒｅｎｃｅ）成分およびＤ（ｄｅｓｔｒｕｃｔｉｖｅ  ｉｎｔｅｒｆｅｒｅｎｃｅ）成分の２つの光信号を出力する。バランスド受信器２０３は、遅延干渉計２０２から出力されるＣ成分およびＤ成分の２つの光信号を受光して光−電気（ＯＥ）変換し、その差分を出力する。一方、関連技術の強度変調方式の受信器の構成を図５に示す。図５において、受信器３０２は、強度変調された光信号３０１を受光し、ＯＥ変換して出力する。
【特許文献１】特開平９−１４７２８３公報
【発明の開示】
【発明が解決しようとする課題】
【０００３】
しかし、上述した関連技術における長距離伝送システムは、図４及び図５に示されているように、強度変調や位相変調毎に受信器の構成が異なり、それぞれの受信器を用意しなければならないという問題があった。
【０００４】
（目的）
本発明の目的は、長距離伝送システムにおいて、強度変調方式及び位相変調方式に対応することができる受信機を提供することにある。
【課題を解決するための手段】
【０００５】
上記目的を達成する本発明は、光伝送システムに用いられる光信号を受信して電気信号に変換する光受信器において、前記光信号を分岐させて、一方に遅延を与えた後に互いに干渉させることで干渉強度の異なる２つの光信号を出力する遅延干渉計と、強度変調方式又は位相変調方式の前記光信号に応じた値の遅延量を、前記遅延干渉計に設定する制御部を備えることを特徴とする。
【０００６】
（作用）
上記構成により、強度変調方式又は位相変調方式の光信号に応じた値の遅延量を、遅延干渉計に設定する。
【発明の効果】
【０００７】
本発明によれば、入力変調方式に応じて遅延干渉計の遅延量を最適な値に設定しているので強度変調方式及び位相変調方式の両変調方式に対応することができる。
【発明を実施するための最良の形態】
【０００８】
（第１の実施の形態）
以下、本発明の第１の実施の形態について図を参照して詳細に説明する。
【０００９】
（第１の実施の形態の構成）
図１は、本実施の形態による光伝送システムの光受信器の構成を示すブロック図である。
【００１０】
図１を参照すると、本実施の形態による光受信器１００は、遅延干渉計１０２と、バランスド受信器１０３と、電流検出部（１）１０４と、電流検出部（２）１０５と、変調方式判別部１０６と、制御部１０７とを備える。
【００１１】
遅延干渉計１０２は、受信光信号１０１を受光して２経路に分け、一方の受信光信号の位相を制御部１０７によって設定した遅延量だけ遅延させた後に互いに干渉させ、Ｃ（ｃｏｎｓｔｒｕｃｔｉｖｅ  ｉｎｔｅｒｆｅｒｅｎｃｅ）成分およびＤ（ｄｅｓｔｒｕｃｔｉｖｅ  ｉｎｔｅｒｆｅｒｅｎｃｅ）成分の２つの信号を出力する機能を有する。
【００１２】
ここで、Ｃ成分とは、建設的干渉による成分をいい、振動数の等しい２つ（以上）の波が同位相で重なり合って強め合い、それぞれの波の振動を加え合わせた１つの振幅となった成分をいう。
【００１３】
また、Ｄ成分とは、相殺的干渉による成分をいい、同一周期の波動が、半周期ずれて山と谷とが打ち消し合う現象による成分をいう。
【００１４】
バランスド受信器１０３は、遅延干渉計１０２から出力されるＣおよびＤ成分の２つの信号を受光して光−電気（ＯＥ）変換し、その差分信号を出力する機能を有する。
【００１５】
電流検出部（１）１０４は、バランスド受信器１０３が光−電気（ＯＥ）変換したＣ成分の信号の電流を検出し、検出電流Ｉ１として出力する機能を有する。電流検出部（２）１０５は、バランスド受信器１０３が光−電気（ＯＥ）変換したＤ成分の信号の電流を検出し、検出電流Ｉ２として出力する機能を有する。
【００１６】
変調方式判別部１０６は、電流検出部（１）１０４および電流検出部（２）１０５から出力される検出電流Ｉ１、検出電流Ｉ２に基づいて、光受信器１００に入力された信号に適する変調方式を判別する機能を有する。
【００１７】
制御部１０７は、変調方式判別部１０６で判別された変調方式に対応した遅延量を遅延干渉計に設定する機能を有する。
【００１８】
ここで、光受信器１００のハードウェア構成例を図２に示す。
【００１９】
図２を参照すると、本発明による光受信器１００は、一般的なコンピュータ装置と同様のハードウェア構成によって実現することができ、ＣＰＵ（Ｃｅｎｔｒａｌ  Ｐｒｏｃｅｓｓｉｎｇ  Ｕｎｉｔ）１００１、ＲＡＭ（Ｒａｎｄｏｍ  Ａｃｃｅｓｓ  Ｍｅｍｏｒｙ）等のメインメモリであり、データの作業領域やデータの一時退避領域に用いられる主記憶部１００２、通信網を介してデータの送受信を行う通信制御部１００３、周辺機器と接続してデータの送受信を行うインタフェース部１００４、ＲＯＭ（Ｒｅａｄ  Ｏｎｌｙ  Ｍｅｍｏｒｙ）、磁気ディスク、半導体メモリ等の不揮発性メモリから構成されるハードディスク装置である補助記憶部１００５、本情報処理装置の上記各構成要素を相互に接続するシステムバス１００６等を備えている。
【００２０】
本発明による光受信器１００は、その動作を、光受信器１００内部にそのような機能を実現するプログラムを組み込んだ、ＬＳＩ（Ｌａｒｇｅ  Ｓｃａｌｅ  Ｉｎｔｅｇｒａｔｉｏｎ）等のハードウェア部品からなる回路部品を実装してハードウェア的に実現することは勿論として、上述した各構成要素の各機能を提供するプログラムを、コンピュータ処理装置上のＣＰＵ１００１で実行することにより、ソフトウェア的に実現することができる。
【００２１】
すなわち、ＣＰＵ１００１は、補助記憶部１００５に格納されているプログラムを、主記憶部１００２にロードして実行し、光受信器１００の動作を制御することにより、上述した各機能をソフトウェア的に実現する。
【００２２】
（第１の実施の形態の動作）
図６は、本実施の形態による光受信器の動作を示すフローチャートである。
【００２３】
図６を参照すると、まず、制御部１０７は、光受信器１００の起動時、位相変調方式用の遅延量を遅延干渉計１０２に対して設定する（ステップＳ２０１）。
【００２４】
次いで、最初の受信光信号１０１を受光すると、変調方式判別部１０６は、電流検出部（１）１０４と電流検出部（２）１０５から検出電流Ｉ１と検出電流Ｉ２が与えられると（ステップＳ２０２）、検出電流Ｉ１と検出電流Ｉ２の比（Ｉ２／Ｉ１）を求め（ステップＳ２０３）、その比とある一定値（例えば１／２）との大小を比較する（ステップＳ２０４）。
【００２５】
ここで、変調方式判別部１０６は、例えば、その比がある一定値よりも小さい場合に、受信光信号１０１の変調方式を強度変調方式と判別し（ステップＳ２０５）、制御部１０７が、変調方式判別部１０６の判別結果に基づいて強度変調方式用の遅延量を遅延干渉計１０２に設定する（ステップＳ２０６）。
【００２６】
強度変調方式用の遅延量を遅延干渉計１０２に設定したことにより、以降、光受信器１００は、強度変調方式用の光受信器として動作する。
【００２７】
一方、変調方式判別部１０６は、例えば、その比がある一定値以上の場合に、受信光信号１０１の変調方式を位相変調方式と判別し（ステップＳ２０７）、制御部１０７が、変調方式判別部１０６の判別結果に基づいて位相変調方式用の遅延量を遅延干渉計１０２に設定する（ステップＳ２０８）。
【００２８】
位相変調方式用の遅延量を遅延干渉計１０２に設定したことにより、以降、光受信器１００は、位相変調方式用の光受信器として動作する。
【００２９】
一般的に、受信光信号１０１の変調方式が位相変調方式である場合、遅延干渉計１０２から一定レベルのＤ成分の信号が出力されるが、強度変調方式の場合には、建設的干渉によるＣ成分だけが出力さ、相殺的干渉によるＤ成分の信号はほとんど出力されない。強度変調方式の場合、２経路に分けた受信光信号１０１の一方の位相に位相変調方式用の遅延量の遅延を与えても位相が反転しない（位相に変化が生じない）ためである。
【００３０】
そこで、本実施の形態では、位相変調方式の場合に出力されるＣ成分の信号とＤ成分の信号の比（Ｄ／Ｃ）（例えば、１／２）を、上記一定値として設定することにより、Ｃ成分の信号からの検出電流Ｉ１とＤ成分の信号からの検出電流Ｉ２の比（Ｉ２／Ｉ１）が一定値より大きい場合に、受信光信号１０１の変調方式が位相変調方式であると判定でき、反対に、比（Ｉ２／Ｉ１）が一定値より小さい場合に、受信光信号１０１の変調方式が強度変調方式であると判定できることを利用している。
【００３１】
（第１の実施の形態の効果）
【００３２】
本発明によれば、強度変調方式及び位相変調方式のうち、最適な変調方式を遅延干渉計１０２に対して設定することができる。
【００３３】
その理由は、変調方式判別部１０６が、電流検出部（１）１０４と電流検出部（２）１０５からＣ成分の信号の検出電流Ｉ１とＤ成分の信号の検出電流Ｉ２が与えられると、検出電流Ｉ１と検出電流Ｉ２の比（Ｉ２／Ｉ１）を求め、その比とある一定値（例えば１／２）の大小を比較した結果に基づいて受信光信号１０１の変調方式を判別し、制御部１０７が、変調方式判別部１０６の判別結果による変調方式に最適な遅延量を遅延干渉計１０２に設定するからである。
【００３４】
（第２の実施の形態）
以下、本発明の第２の実施の形態について図を参照して詳細に説明する。
【００３５】
（第２の実施の形態の構成）
図１は、本実施の形態による光伝送システムの光受信器の構成を示すブロック図である。
【００３６】
図１を参照すると、本実施の形態による光受信器１００は、遅延干渉計１０２と、バランスド受信器１０３と、電流検出部（１）１０４と、電流検出部（２）１０５と、変調方式判別部１０６と、制御部１０７とを備える。
【００３７】
遅延干渉計１０２は、受信光信号１０１を受光して２経路に分け、一方に遅延を与えた後に合波し、Ｃ（ｃｏｎｓｔｒｕｃｔｉｖｅ  ｉｎｔｅｒｆｅｒｅｎｃｅ）成分およびＤ（ｄｅｓｔｒｕｃｔｉｖｅ  ｉｎｔｅｒｆｅｒｅｎｃｅ）成分の２つの信号を出力する機能を有する。
【００３８】
ここで、Ｃ成分とは、建設的干渉による成分をいい、振動数の等しい２つ（以上）の波が同位相で重なり合って強め合い、それぞれの波の振動を加え合わせた１つの振幅となった成分をいう。
【００３９】
また、Ｄ成分とは、相殺的干渉による成分をいい、同一周期の波動が、半周期ずれて山と谷とが打ち消し合う現象による成分をいう。
【００４０】
バランスド受信器１０３は、遅延干渉計１０２から出力されるＣおよびＤ成分の２つの信号を受光して光−電気（ＯＥ）変換し、その差分信号を出力する機能を有する。
【００４１】
電流検出部（１）１０４は、バランスド受信器１０３の電流を検出して検出電流Ｉ１を出力する機能を有し、電流検出部（２）１０５も同様に、バランスド受信器１０３の電流を検出して検出電流Ｉ２を出力する機能を有する。
【００４２】
変調方式判別部１０６は、電流検出部（１）１０４および電流検出部（２）１０５から出力される電流値に基づいて、光受信器１００に入力された信号に適する変調方式を判別する機能を有する。
【００４３】
制御部１０７は、変調方式判別部１０６で判別された変調方式に対応した遅延量を遅延干渉計に設定する機能を有する。
【００４４】
ここで、光受信器１００のハードウェア構成例を図２に示す。
【００４５】
図２を参照すると、本発明による光受信器１００は、一般的なコンピュータ装置と同様のハードウェア構成によって実現することができ、ＣＰＵ（Ｃｅｎｔｒａｌ  Ｐｒｏｃｅｓｓｉｎｇ  Ｕｎｉｔ）１００１、ＲＡＭ（Ｒａｎｄｏｍ  Ａｃｃｅｓｓ  Ｍｅｍｏｒｙ）等のメインメモリであり、データの作業領域やデータの一時退避領域に用いられる主記憶部１００２、通信網を介してデータの送受信を行う通信制御部１００３、周辺機器と接続してデータの送受信を行うインタフェース部１００４、ＲＯＭ（Ｒｅａｄ  Ｏｎｌｙ  Ｍｅｍｏｒｙ）、磁気ディスク、半導体メモリ等の不揮発性メモリから構成されるハードディスク装置である補助記憶部１００５、本情報処理装置の上記各構成要素を相互に接続するシステムバス１００６等を備えている。
【００４６】
本発明による光受信器１００は、その動作を、光受信器１００内部にそのような機能を実現するプログラムを組み込んだ、ＬＳＩ（Ｌａｒｇｅ  Ｓｃａｌｅ  Ｉｎｔｅｇｒａｔｉｏｎ）等のハードウェア部品からなる回路部品を実装してハードウェア的に実現することは勿論として、上述した各構成要素の各機能を提供するプログラムを、コンピュータ処理装置上のＣＰＵ１００１で実行することにより、ソフトウェア的に実現することができる。
【００４７】
すなわち、ＣＰＵ１００１は、補助記憶部１００５に格納されているプログラムを、主記憶部１００２にロードして実行し、光受信器１００の動作を制御することにより、上述した各機能をソフトウェア的に実現する。
【００４８】
（第２の実施の形態の動作）
図３は、本実施の形態による光受信器の動作を示すフローチャートである。
【００４９】
図３を参照すると、まず、制御部１０７は、光受信器１００の起動時、位相変調方式用の遅延量を遅延干渉計１０２に対して設定する（ステップＳ１０１）。
【００５０】
次いで、変調方式判別部１０６は、電流検出部（１）１０４と電流検出部（２）１０５から検出電流Ｉ１と検出電流Ｉ２が与えられると（ステップＳ１０２）、検出電流Ｉ１と検出電流Ｉ２の比（Ｉ２／Ｉ１）を求め（ステップＳ１０３）、その比とある一定値（例えば１／２）の大小を比較する（ステップＳ１０４）。
【００５１】
ここで、変調方式判別部１０６は、例えば、その比がある一定値よりも小さい場合に、受信光信号１０１の変調方式を強度変調方式と判別し（ステップＳ１０５）、制御部１０７が、変調方式判別部１０６の判別結果に基づいて強度変調方式用の遅延量を遅延干渉計１０２に設定する（ステップＳ１０６）。
【００５２】
一方、変調方式判別部１０６は、例えば、その比がある一定値以上の場合に、受信光信号１０１の変調方式を強度変調方式と判別し（ステップＳ１０７）、制御部１０７が、変調方式判別部１０６の判別結果に基づいて位相変調方式用の遅延量を遅延干渉計１０２に設定する（ステップＳ１０８）。
【００５３】
（第２の実施の形態の効果）
【００５４】
本発明によれば、強度変調方式及び位相変調方式のうち、最適な変調方式を遅延干渉計１０２に対して設定することができる。
【００５５】
その理由は、変調方式判別部１０６が、電流検出部（１）１０４と電流検出部（２）１０５から検出電流Ｉ１と検出電流Ｉ２が与えられると、検出電流Ｉ１と検出電流Ｉ２の比（Ｉ２／Ｉ１）を求め、その比とある一定値（例えば１／２）の大小を比較した結果に基づいて受信光信号１０１の変調方式を判別し、制御部１０７が、変調方式判別部１０６の判別結果による変調方式に最適な遅延量を遅延干渉計１０２に設定するからである。
【００５６】
以上好ましい実施の形態をあげて本発明を説明したが、本発明は必ずしも、上記実施の形態に限定されるものでなく、その技術的思想の範囲内において様々に変形して実施することができる。
【産業上の利用可能性】
【００５７】
位相変調、強度変調の両変調方式が混在する光通信システムの光受信器に本発明を適用できる。
【図面の簡単な説明】
【００５８】
【図１】本発明の第１の実施の形態による光伝送システムの光受信器の構成を示すブロック図である。
【図２】第１の実施の形態による光伝送システムの光受信器１００のハードウェア構成例を示すブロック図である。
【図３】第２の実施の形態による光受信器の動作を示すフローチャートである。
【図４】関連技術の位相変調方式の受信器の構成を示すブロック図である。
【図５】関連技術の強度変調方式の受信器の構成を示すブロック図である。
【図６】第１の実施の形態による光受信器の動作を示すフローチャートである。
【符号の説明】
【００５９】
１００：光受信器
１０１：受信光信号
１０２：遅延干渉計
１０３：バランスド受信器
１０４：電流検出部（１）
１０５：電流検出部（２）
１０６：変調方式判別部
１０７：制御部
Ｉ１、Ｉ２：検出電流
１００１：ＣＰＵ
１００２：主記憶部
１００３：通信制御部
１００４：インタフェース部
１００５：補助記憶部
１００６：システムバス
２０００：通信網
【図１】
2008271510.tif 000003
【図２】
2008271510.tif 000004
【図３】
2008271510.tif 000005
【図４】
2008271510.tif 000006
【図５】
2008271510.tif 000007
【図６】
2008271510.tif 000008